(57)【要約】【課題】様々な吸収波長を持つ成分の測定が可能となる。【解決手段】多成分測定用光学セル１は、セル本体２の検体流路３を流れる検体中に含まれる複数の成分を同時に測定する光学分析計において、含有する測定成分に合わせたそれぞれの光学測定系４，５を検体流路３に沿って配置している。【選択図】図１
2004037340.tif 000002
【特許請求の範囲】
【請求項１】
セル本体の検体流路を流れる検体中に含まれる複数の成分を同時に測定する光学分析計において、
含有する測定成分に合わせたそれぞれの光学測定系を前記検体流路に沿って配置したことを特徴とする多成分測定用光学セル。
【請求項２】
前記セル本体の前記検体との接触部が石英ガラス又はサファイアガラスの板及び管で構成され、さらに前記板と前記管の接着面はオプティカルコンタクトにより接合されていることを特徴とする請求項１に記載の多成分測定用光学セル。
【請求項３】
前記セル本体内は上下二段構造となっており、前記検体流路の下部流路を前記検体流路の上部流路より狭くする構造の気泡抜き機能を有することを特徴とする請求項１に記載の多成分測定用光学セル。
【請求項４】
前記光学測定系は、前記検体流路の下部流路を挟んで左右に配置された光源及びフィルタと、受光素子とで構成することを特徴とする請求項１に記載の多成分測定用光学セル。
【請求項５】
前記検体流路に沿って配置された複数の光学測定系のうち、少なくとも一組は紫外線光源ランプ及びフィルタと、シリコンホトセル又は光電子増倍管の受光素子であることを特徴とする請求項１に記載の多成分測定用光学セル。
【発明の詳細な説明】
【０００１】
【発明の属する技術分野】
この発明は、セル本体の検体流路を流れる検体中の多成分を測定する光学分析計の多成分測定用光学セルに関する。
【０００２】
【従来の技術】
従来の光学分析計の多成分測定用光学セルでは、図４乃至図６に示すように、セル本体１００に一対の光源１０１と受光素子１０２がセットされ、順次光路に挿入される波長の異なるフィルタ１０３の組合せにより複数成分を測定している。
【０００３】
【発明が解決しようとする課題】
このような場合、光源が１種類に限定されるため、何種類のフィルタを使用しても紫外域から赤外域までをカバーすることは不可能である。
【０００４】
この発明はかかる実情に鑑みてなされたもので、様々な吸収波長を持つ成分の測定が可能となる多成分測定用光学セルを提供することを目的としている。
【０００５】
【課題を解決するための手段】
前記課題を解決し、かつ目的を達成するために、この発明は以下のように構成した。
【０００６】
請求項１に記載の発明は、セル本体の検体流路を流れる検体中に含まれる複数の成分を同時に測定する光学分析計において、
含有する測定成分に合わせたそれぞれの光学測定系を前記検体流路に沿って配置したことを特徴とする多成分測定用光学セルである。
【０００７】
この請求項１に記載の発明によれば、含有する測定成分に合わせたそれぞれの光学測定系を検体流路に沿って配置することにより、検体中に含まれる複数の成分を同時に測定することができる。
【０００８】
請求項２に記載の発明は、前記セル本体の前記検体との接触部が石英ガラス又はサファイアガラスの板及び管で構成され、さらに前記板と前記管の接着面はオプティカルコンタクトにより接合されていることを特徴とする請求項１に記載の多成分測定用光学セルである。
【０００９】
この請求項２に記載の発明によれば、セル本体の検体との接触部はオプティカルコンタクトにより接着された石英ガラス又はサファイアガラスの板及び管で構成することにより、セル本体は耐熱及び耐食性が実現できるため、検体が熱濃硫酸又は熱濃硫酸中に含有される液体又は気体であっても、更に検体がふっ酸またはふっ酸中に含有される液体又は気体であっても測定が可能である。
【００１０】
請求項３に記載の発明は、前記セル本体内は上下二段構造となっており、前記検体流路の下部流路を前記検体流路の上部流路より狭くする構造の気泡抜き機能を有することを特徴とする請求項１に記載の多成分測定用光学セルである。
【００１１】
この請求項３に記載の発明によれば、セル本体内は、下部流路が狭くなった上下二段構造となっており、下段に流入した液体は加圧され気泡が上部流路に抜ける構造になっているため、下部流路では検体中の気泡を除去することができる。
【００１２】
請求項４に記載の発明は、前記光学測定系は、前記検体流路の下部流路を挟んで左右に配置された光源及びフィルタと、受光素子とで構成することを特徴とする請求項１に記載の多成分測定用光学セルである。
【００１３】
この請求項４に記載の発明によれば、検体流路の下部流路を光透過窓とすることで、気泡の影響を受けることなく光学測定が可能となる。
【００１４】
請求項５に記載の発明は、前記検体流路に沿って配置された複数の光学測定系のうち、少なくとも一組は紫外線光源ランプ及びフィルタと、シリコンホトセル又は光電子増倍管の受光素子であることを特徴とする請求項１に記載の多成分測定用光学セルである。
【００１５】
この請求項５に記載の発明によれぱ、検体流路に沿って配置された複数の光学測定系のうち、少なくとも一組は紫外線光源ランプ及びフィルタと、シリコンホトセル又は光電子増倍管の受光素子であって、オゾン濃度の測定が可能である。
【００１６】
【発明の実施の形態】
以下、この発明の多成分測定用光学セルの実施の形態を図面に基づいて詳細に説明するが、この発明はこの実施の形態に限定されない。
【００１７】
図１乃至図３は光学分析計の多成分測定用光学セルを示し、図１は多成分測定用光学セルの正面図、　図２は多成分測定用光学セルの平面図、図３は多成分測定用光学セルの側面図である。
【００１８】
この実施の形態の光学分析計の多成分測定用セル１は、セル本体２の検体流路３を流れる検体中に含まれる複数の成分を同時に測定するものであり、含有する測定成分に合わせたそれぞれの光学測定系４，５を検体流路３に沿って配置されている。
【００１９】
セル本体２の検体との接触部が石英ガラス又はサファイアガラスの板２ａ及び管２ｂで構成され、さらに板２ａと管２ｂの接着面はオプティカルコンタクトにより接合され、セル本体２は耐熱及び耐食性が実現できるため、検体が熱濃硫酸又は熱濃硫酸中に含有される液体又は気体であっても、更に検体がふっ酸またはふっ酸中に含有される液体又は気体であっても測定が可能である。
【００２０】
セル本体２内は上下二段構造となっており、検体流路３の下部流路３ａを検体流路３の上部流路３ｂより狭くする構造の気泡抜き機能を有し、下段流路３ａに流入した液体は加圧され気泡が上部流路３ｂに抜ける構造になっている。検体入口Ａからセル本体２内に導入された検体は、上下二段の検体流路３に至って分離され、下部流路３ａに導入された検体は流路の中で圧縮され、気泡を上部流路３ｂに移動させながらセル本体２内を通過して検体出口Ｂから放出され、下部流路３ａでは検体中の気泡を除去することができる。
【００２１】
光学測定系４，５は、検体流路３の下部流路３ａを挟んで外側に左右に配置された光源４ａ，５ａ及びフィルタ４ｂ，５ｂと、受光素子４ｃ，５ｃとで構成され、含有する測定成分に合わせたそれぞれの光学測定系４，５を検体流路３に沿って配置することにより、検体中に含まれる複数の成分を同時に測定することができる。この検体流路３の下部流路３ａを光透過窓とすることで、気泡の影響を受けることなく光学測定が可能となり、測定すべき複数成分を含み、且つ気泡を含有し、高温、腐蝕性の検体であっても測定が可能である。
【００２２】
また、検体流路３に沿って配置された複数の光学測定系４，５のうち、少なくとも一組は紫外線光源ランプ及びフィルタと、シリコンホトセル又は光電子増倍管の受光素子であり、検体流路３に沿って配置された複数の光学測定系４，５のうち、少なくとも一組は紫外線光源ランプ及びフィルタと、シリコンホトセル又は光電子増倍管の受光素子であって、オゾン濃度の測定が可能である。
【００２３】
【発明の効果】
前記したように、請求項１に記載の発明では、含有する測定成分に合わせたそれぞれの光学測定系を検体流路に沿って配置することにより、検体中に含まれる複数の成分を同時に測定することができる。
【００２４】
請求項２に記載の発明では、セル本体の検体との接触部はオプティカルコンタクトにより接着された石英ガラス又はサファイアガラスの板及び管で構成することにより、セル本体は耐熱及び耐食性が実現できるため、検体が熱濃硫酸又は熱濃硫酸中に含有される液体又は気体であっても、更に検体がふっ酸またはふっ酸中に含有される液体又は気体であっても測定が可能である。
【００２５】
請求項３に記載の発明では、セル本体内は、下部流路が狭くなった上下二段構造となっており、下段に流入した液体は加圧され気泡が上部流路に抜ける構造になっているため、下部流路では検体中の気泡を除去することができる。
【００２６】
請求項４に記載の発明では、検体流路の下部流路を光透過窓とすることで、気泡の影響を受けることなく光学測定が可能となる。
【００２７】
請求項５に記載の発明では、検体流路に沿って配置された複数の光学測定系のうち、少なくとも一組は紫外線光源ランプ及びフィルタと、シリコンホトセル又は光電子増倍管の受光素子であって、オゾン濃度の測定が可能である。
【図面の簡単な説明】
【図１】多成分測定用光学セルの正面図である。
【図２】多成分測定用光学セルの平面図である。
【図３】多成分測定用光学セルの側面図である。
【図４】従来の多成分測定用光学セルの正面図である。
【図５】従来の多成分測定用光学セルの平面図である。
【図６】従来の多成分測定用光学セルの側面図である。
【符号の説明】
１　多成分測定用光学セル
２　セル本体
３　検体流路
４，５　光学測定系
【図１】
2004037340.tif 000003
【図２】
2004037340.tif 000004
【図３】
2004037340.tif 000005
【図４】
2004037340.tif 000006
【図５】
2004037340.tif 000007
【図６】
2004037340.tif 000008